(57)【特許請求の範囲】
【請求項１】
配線ボックスの内面底壁に、ビスの軸部と当接する傾斜面を有して該ビスの軸部を前記内面底壁に対して傾斜した状態で挟持する保持部を備え、
前記内面底壁において前記保持部と隣合う位置に、傾斜した前記ビスの一端が入り込む空間が形成され、
前記傾斜したビスの他端部の下方に、前記ビスの他端部を把持可能な把持空間が形成されたことを特徴とする配線ボックスのビス保持構造。
【請求項２】
前記傾斜したビスの一端が入り込む空間は、内面底壁に設けられた凹部により形成されたことを特徴とする請求項１に記載の配線ボックスのビス保持構造。
【発明の詳細な説明】
【０００１】
【発明の属する技術分野】
本発明はボックス本体内に取付用のビスを着脱自在に保持する配線ボックスのビス保持構造に関するものである。
【０００２】
【従来の技術】
従来、ボックス本体内に取付用のビスを着脱自在に保持する配線ボックスとして、例えば、実公昭５１−８４７７号公報に掲載されたものがある。
【０００３】
図１１乃至図１３において、配線ボックス１はボックス本体２の底壁７の所定位置に、取付用のビス２１を底壁７面に沿って着脱自在に保持する保持部３１が一体に設けられている。前記保持部３１は合成樹脂によって断面が略コ字状に形成され、その凹部内において前記ビス２１の軸部２２を弾性的に挟持するように形成されている。
【０００４】
このように形成された前記配線ボックス１は、取付工事の際に、保持部３１に保持されていたビス２１を取外し、そのビス２１を配線ボックス１のボス孔８に螺合させて図示しない配線器具取付枠が取付けられる。
【０００５】
【発明が解決しようとする課題】
しかし、前記実公昭５１−８４７７号公報に掲載された配線ボックス１においては、ビス２１の軸部２２を把持して取外す時には、図１３に示すように、ビス２２はその頭部２３とボックス本体２の底壁７面との当接部を支点として軸端部が上方に引上げられて取外されるのであるが、ボックス本体２内の収容スペースとの関連で配線器具との干渉を避けるために保持部３１の突出量を少なくする必要性から、ビス２１はその頭部２３が配線ボックス１の底壁７面に当接した状態或いはそれに近い状態で保持され、軸部２３と底壁７とが近接している。即ち、ビス２１は配線ボックス１の奥部である底壁７に近い位置で保持されており、ビス２１の摘み代も小さかった。このために、配線ボックス１の開口から手を入れ、奥部のビス２１を把持して引き上げて取外すのは容易ではなかった。
【０００６】
これらの点を解決するために、保持部３１のビス２１の挟持力を小さくして取外しを容易とすることも考えられるが、運搬時の振動等において外れ易いという不具合がある。
【０００７】
そこで、本発明は、ビスを確実に保持できるとともに、ビスの取外しが容易である配線ボックスのビス保持構造の提供を課題とするものである。
【０００８】
【課題を解決するための手段】
請求項１の発明にかかる配線ボックスのビス保持構造は、配線ボックスの内面底壁に、ビスの軸部と当接する傾斜面を有して該ビスの軸部を前記内面底壁に対して傾斜した状態で挟持する保持部を備え、前記内面底壁において前記保持部と隣合う位置に、傾斜した前記ビスの一端が入り込む空間が形成され、前記傾斜したビスの他端部の下方に、前記ビスの他端部を把持可能な把持空間が形成されたものである。
【０００９】
請求項２の発明にかかる配線ボックスのビス保持構造は、請求項１に記載の傾斜したビスの一端が入り込む空間が、底壁に設けられた凹部により形成されたものである。
【００１０】
【発明の実施の形態】
〈第一実施例〉
以下、本発明の第一実施例を図１乃至図５に基づいて説明する。
【００１１】
図において、配線ボックス１のボックス本体２は合成樹脂で一面開口の箱状に形成されている。前記配線ボックス１の一方の側壁３には壁内の柱等に取付けるための長孔４が穿設されており、ビス２１をボックス本体２の内側から前記長孔４内に挿入して柱等に螺着することにより、配線ボックス１を取付けるようになっている。また、他の側壁３にはノックアウト部５及び配線挿通孔６が設けられている。前記底壁７の上下端部には図示しない配線器具取付枠をビス２１を使用して取付けるためのボス孔８が形成されている。
【００１２】
更に、前記底壁７にはその隅部に前記ボス孔８に使用するビス２１を施工時まで保持するための断面山形状の保持部１１がボックス本体２と一体に突設されている。この保持部１１では凹部が２箇所形成されて２本のビス２１をその凹部内に保持するものとなっている。但し、本実施例においては、保持部１１は断面山形状として２本のビス２１を保持するものとしているが、保持本数は限定されるものではない。前記保持部１１の凹部における４面の側壁１２には内部側に対向して突出する円弧状の突部１３が設けられており、ビス２１の軸部２２を局部的に挟持するようになっている。更に、前記保持部１１から所定距離隔てて、保持されたビス２１の頭部２３の下方位置となる部分に貫通孔１４が穿設され、その部分に傾動空間１５が形成されている。そして、前記貫通孔１４の保持部１１側の周縁部は下方に傾斜する傾斜面１６に形成されている。なお、前記保持部１１の突部１３は、後述のように、ビス２１を傾動させるときに、その傾動を容易とすべく、貫通孔１４寄りに設けておくのが好ましい。
【００１３】
一方、前記保持部１１の傾動空間１５との反対側には、図５に示すように、前記ビス２１が傾動したときに頭部２３と反対側の軸部２２の下方に把持空間１７が形成されるようになっている。
【００１４】
次に、上記のように構成された本実施例の配線ボックスのビス保持構造におけるビスの保持及びビスの取外しについて図４及び図５に基づいて説明する。
【００１５】
まず、配線器具取付枠の取付けまでのビス２１の保持においては、配線器具取付枠をボス孔８に取付けるためのビス２１は、図４に示すように、その軸部２２において保持部１１の突部１３によって挟持され、底壁７面に沿って平行に保持される。
【００１６】
次に、配線器具取付枠を取付けるためにビス２１を取外すには、ビス２１の頭部２３を指で押圧して保持部１１の突部１３を支点として下方に傾動させる。このとき、頭部２３の下方の底壁７には貫通孔１４による傾動空間１５が形成されているので、底壁７面を超えて傾動空間１５内に入り込む。そして、一定角度まで傾動すると、ビス２１は自然に保持部１１から上方に離脱して外れる。或いは、ビス２１は保持部１１に保持されたまま傾動し、軸部２２の底部が貫通孔１４の傾斜面１６に当接することによってそれ以上の傾動を阻止される。このとき、ビス２１の他端部は上方に傾動し、軸部２２と底壁７との間隔が開いて軸部２２の下方に把持空間１７が形成され、指でビス２１の軸部２２の端部を把持し易い状態となり、その状態で把持して取外される。
【００１７】
即ち、本実施例においては、ビス２１は、従来のように、単に、摘み上げるものではなく、一端部を押下げることによって保持部１１から離脱し、或いは、押下げることによって把持し易い傾動状態に保持されつつ取外される。なお、後者の場合には、ビス２１を取外すときに、傾動状態においても保持部１１に保持されているので、取外すときのはずみで前記ビス２１が傾動し過ぎてボックス本体２内などに落下して紛失したりするのが防止され、確実に把持して取外すことができる。
【００１８】
このように、本実施例の配線ボックスのビス保持構造は、配線ボックス１の底壁７に沿ってビス２１を軸部２２において挟持する保持部１１を有し、前記保持部１１からビス２１の取外しを可能とすべく、前記ビス２１を傾動可能とする傾動空間１５が前記ビス２１の一端部の下方における底壁７に形成されたものである。
【００１９】
したがって、保持部１１によってビス２１を確実に保持できるとともに、ビス２１の取外し時には、ビス２１の一端を下方に押下げて他端を上方に回動させることによってビス２１は離脱し、或いは、保持部１１に保持された状態で把持空間１７が形成されることによってビス２１を把持し易くなるため、取外し作業が容易となる。そして、傾動後も保持した状態となる場合は、誤ってビス２１を落下させて紛失するのを防止する効果も得られる。
【００２０】
また、貫通孔１４の一方の周縁部は傾斜面１６による傾動規制部が形成されているので、一定以上のビス２１の傾動を防止できる。これにより、取外し時の傾動において、より確実にビス２１を保持部１１に保持させておくことができるため、前記ビス２１の落下、紛失をより確実に防止することができる。
【００２１】
更に、保持部１１には、突部１３が形成され、ビス２１は軸部２２を突部１３の先端で局部的に挟持されるので、ビス２１の回動が容易となる。
【００２２】
ところで、上記の実施例においては、ビス２１の頭部２３側が下方に傾動すべく保持部１１に保持した場合を示しているが、図６及び図７に示すように、軸部２２側を下方に傾動すべく保持部１１に保持させた場合も、同様に、軸部２２の端部が貫通孔１４内に挿入され、頭部２３は上方に傾動してその下方に把持空間１７が形成されるので、ビス２１の取外しを容易かつ確実に行なうことができる。
【００２３】
なお、上記実施例においては、傾動空間１５は貫通孔１４によって形成しているが、底壁７の板厚が大きい場合には、底壁７を貫通させることなく、所定深さに凹部形成したものであってもよい。この場合には、ビス２１の傾動量には限界があるが、コンクリート打設時にコンクリートが侵入することがないので、コンクリート埋設用としての配線ボックス１にも適用することができる。
【００２４】
また、上記実施例においては、保持部１１はボックス本体２の隅部に１箇所形成しているが、本発明を実施する場合には、これに限定されるものではなく、底壁７の複数箇所に形成してもよい。
【００２５】
更に、ビス２１をより把持し易くするために、把持空間１７側の底壁７にも貫通孔或いは凹部を形成してもよい。
〈第二実施例〉
次に、本発明の第二実施例を図８乃至図１０に基づいて説明する。
【００２６】
図において、配線ボックス１の底壁７にはビス２１をその軸部２２において底壁７に対して傾斜した状態で挟持する保持部１１がボックス本体２と一体に突設されている。即ち、前記保持部１１のビス２１底部との当接面は傾斜面となっている。ここで、傾斜角度は任意に設定することができる。
【００２７】
一方、前記保持部１１より奥側における底壁７には傾斜したビス２１の頭部２３が入り込むための空間となる貫通孔１４が形成されている。保持されたビス２１は底壁７面から外部に突出していても差し支えないが、他の部品等との接触を防止すべく突出させないのが望ましい。このためには、貫通孔１４を小さくして一定以上入り込まないようにするか、貫通孔１４ではなく凹部形状とするのがよい。なお、凹部に形成すれば、第一実施例と同様に、コンクリート打設時にコンクリートが侵入するのを防止できるという効果が得られる。
【００２８】
第二実施例の場合には、特に、保持状態においてビス２１が底壁７に対して傾斜しているので、施工時にビス２１の端部を把持し易く、取出しが容易であるという効果を奏する。
【００２９】
ところで、上記第二実施例は、ビス２１の頭部２３が下方となる傾斜状態に保持したものを示すが、図１０に示すように、ビス２１の軸部２２の端部が下方となる傾斜状態に保持するようにしてもよい。
【００３０】
なお、貫通孔１４の傾斜面１６をビス２１の頭部２３または軸部２２の端部と当接する傾斜角度に形成しておけばビス２１を一層安定して保持できる。
【００３１】
【発明の効果】
以上のように、請求項１の発明にかかる配線ボックスのビス保持構造は、配線ボックスの内面底壁に、ビスの軸部と当接する傾斜面を有して該ビスの軸部を前記内面底壁に対して傾斜した状態で挟持する保持部を備え、前記内面底壁において前記保持部と隣合う位置に、傾斜した前記ビスの一端が入り込む空間が形成され、前記傾斜したビスの他端部の下方に、前記ビスの他端部を把持可能な把持空間が形成されたものである。したがって、保持状態においてビスが傾斜しているので、特に、施工時にビスの端部を把持し易く、取出しが容易であるという効果を奏する。
【００３２】
請求項２の発明の配線ボックスのビス保持構造は、請求項１に記載の傾斜したビスの一端が入り込む空間が、底壁に設けられた凹部により形成されたものである。したがって、特に、コンクリート打設時にコンクリートが侵入することがないので、コンクリート埋設用としての配線ボックスにも適用することができる。
【図面の簡単な説明】
【図１】本発明の第一実施例の配線ボックスのビス保持構造を示す斜視図である。
【図２】第１図の配線ボックスの要部斜視図である。
【図３】本発明の第一実施例の配線ボックスのビス保持構造を示す平面図である。
【図４】図１のビスを保持した状態を示す要部断面図である。
【図５】図１のビスを傾動した状態を示す要部断面図である。
【図６】図１の保持部におけるビスの別の保持状態を示す要部断面図である。
【図７】図６のビスを傾動した状態を示す要部断面図である。
【図８】本発明の第二実施例の配線ボックスのビス保持構造を示す要部断面図である。
【図９】図８のＡ−Ａ切断線による断面図である。
【図１０】本発明の第二実施例における別の配線ボックスのビス保持構造を示す要部断面図である。
【図１１】従来の配線ボックスのビス保持構造を示す平面図である。
【図１２】図１１のＢ−Ｂ切断線による断面図である。
【図１３】図１１のＣ−Ｃ切断線による断面図である。
【符号の説明】
１            配線ボックス
７            底壁
１１      保持部
１３        突部
１４        貫通孔
１５        傾動空間
１６        傾斜面
１７        把持空間
２１        ビス
２２        軸部
【図１】
0003569775.tif 000002
【図２】
0003569775.tif 000003
【図３】
0003569775.tif 000004
【図４】
0003569775.tif 000005
【図５】
0003569775.tif 000006
【図６】
0003569775.tif 000007
【図７】
0003569775.tif 000008
【図８】
0003569775.tif 000009
【図９】
0003569775.tif 000010
【図１０】
0003569775.tif 000011
【図１１】
0003569775.tif 000012
【図１２】
0003569775.tif 000013
【図１３】
0003569775.tif 000014